(57)【特許請求の範囲】
【請求項１】
玄関子機（１）からの呼び出しに応答して通話を行なうためのインターホン親機（２）を備え、前記インターホン親機は、前記玄関子機からの呼出時に、前記インターホン親機と前記玄関子機に電源回路（２５）からの電源が給電されて前記呼び出しを継続するための呼出タイマ（２６）を有し、前記玄関子機と前記インターホン親機との間にインターホン電話転送装置（３）を介在させたインターホン装置であって、
前記インターホン電話転送装置は、電話局（４）からの電話回線（Ｌ3）を接続するための電話線コネクタ（３９）と、前記玄関子機からの呼び出しを予め設定しておいた電話番号にダイアルし、前記ダイアルして電話転送された電話機（５）にて前記玄関子機と通話を行なうためのダイアルアップ回路（３４）と、前記電話転送を前記インターホン親機に通知して前記インターホン親機の前記呼出タイマを解除、または延長するための転送信号出力回路（３５）とを有することを特徴とするインターホン装置。
【発明の詳細な説明】
【０００１】
【発明の属する技術分野】
本発明はインターホン装置に係り、特に、玄関子機からの呼び出しを、予め設定しておいた電話番号に該当する電話機にて報知させ、この電話機と玄関子機との間で通話を成立させることができるインターホン装置に関する。
【０００２】
【従来の技術】
従来から、この種のインターホン装置として、図２のブロック図に示す構成のインターホン装置が提案されている。
【０００３】
同図に示すインターホン装置は、通常、住戸外、例えば、玄関先に設置されており、呼出機能、通話機能等を有する玄関子機５１と、通常、住戸内に設置されており、呼出報知機能、通話機能、電源機能（子機電源供給機能、親機電源供給機能）、計時機能等を有するインターホン親機５２と、伝送線路Ｌ51を介して接続された玄関子機５１と伝送線路Ｌ52を介して接続されたインターホン親機５２との間に介在されるインターホン電話転送装置５３と、電話回線Ｌ53を介してインターホン電話転送装置５３に接続された電話局５４と、電話局５４との間で有線通信、または無線通信を行なうために用いられ、呼出機能、呼出報知機能、通話機能等を有する電話機５５とで構成されている。
【０００４】
同図に示すインターホン電話転送装置５３において、ＣＰＵ６０には、呼出検出回路６１、転送設定ボタン６２、ダイアルアップ回路６４、通話回路６５、インターフェース（以下、子機側Ｉ／Ｆと称す）６６、インターフェース（以下、親機側Ｉ／Ｆと称す）６７、電話線コネクタ６８がそれぞれ接続されている。また、転送設定ボタン６２には、転送設定表示灯６３が接続されている。また、ダイアルアップ回路６４には、電話線コネクタ６８、電話回線Ｌ53を介して電話局５４が接続されている。さらに、通話回路６５には、子機側Ｉ／Ｆ６６、親機側Ｉ／Ｆ６７、電話線コネクタ６８がそれぞれ接続されており、子機側Ｉ／Ｆ６６には、伝送線路Ｌ51を介して玄関子機５１が接続され、親機側Ｉ／Ｆ６７には、伝送線路Ｌ52を介してインターホン親機５２が接続されている。
【０００５】
なお、玄関子機５１、インターホン親機５２、電話局５４、電話機５５の具体的な構成の図示および説明はそれぞれ省略する。
【０００６】
このように構成された従来例のインターホン装置において、図２のブロック図に示すインターホン親機５２が設置された住戸内に居住者が不在であり、住戸内を不在とする前においてインターホン電話転送装置５３の転送設定ボタン６２が居住者により予め押下操作されている場合、転送設定ボタン６２の押下操作に連動して転送設定表示灯６３は点灯、または点滅されており、ＣＰＵ６０にて設定される玄関子機５１からの呼び出しの報知を行なう当該端末は、通常設定とされるインターホン親機５２のみの設定から電話転送設定とされるインターホン親機５２のみならずダイアルアップ回路６４に予め設定しておいた電話番号に該当する電話機５５にて行なう設定に移行されている。
【０００７】
ここで、玄関先の来訪者により玄関子機５１の呼出機能が能動となると、伝送線路Ｌ51、インターホン電話転送装置５３の子機側Ｉ／Ｆ６６を介して呼出検出回路６１に呼出信号が伝送される。また、インターホン電話転送装置５３の呼出検出回路６１は、玄関子機５１からの呼出信号を検出した呼出検出信号を、ＣＰＵ６０と、親機側Ｉ／Ｆ６７、伝送線路Ｌ52を介してインターホン親機５２とにそれぞれ出力する。また、インターホン電話転送装置５３の呼出検出回路６１からの呼出検出信号を検出したＣＰＵ６０は、ダイアルアップ回路６３を制御し、当該ダイアルアップ回路に予め設定しておいた電話番号にダイアルさせることにより、この電話番号を付加した呼出転送信号が電話線コネクタ６８、電話回線Ｌ53を介して電話局５４に伝送される。さらに、電話局５４は、インターホン電話転送装置５３からの呼出転送信号に付加されている電話番号に該当した電話機５５の呼出報知機能を能動とすることにより、玄関子機５１からの呼び出しが電話機５５にて報知される。
【０００８】
インターホン電話転送装置５３からの呼出検出信号を検出したインターホン親機５２では、計時機能が能動とされている所定の時間内において、電源供給機能からの直流電源の給電が当該インターホン親機にて呼出報知、通話を行なうための動作電源となるばかりでなく、伝送線路Ｌ52、インターホン電話転送装置５３の親機側Ｉ／Ｆ６７、ＣＰＵ６０、子機側Ｉ／Ｆ６６、伝送線路Ｌ51を介して玄関子機５１に給電され、玄関子機５１にて通話を行なうための動作電源となる。また、インターホン親機５２では、呼出報知機能が能動となり玄関子機５１からの呼び出しが報知される。
【０００９】
また、玄関子機５１からの呼び出しを確認した電話機５５の使用者が、適宜、応答すると、電話局５４、電話回線Ｌ53、インターホン電話転送装置５３の電話線コネクタ６８を介して電話機５５からの呼出応答信号を検出したＣＰＵ６０により通話回路６５が制御され、子機側Ｉ／Ｆ６６と電話線コネクタ６８との間の信号伝送ラインが形成するとともに、ＣＰＵ６０、子機側Ｉ／Ｆ６６、伝送線路Ｌ51を介して電話機５５からの呼出応答信号が玄関子機５１に伝送され、これを検出した玄関子機５１の通話機能が能動となる。これにより、玄関子機５１の通話機能と、伝送線路Ｌ51、インターホン電話転送装置５３の子機側Ｉ／Ｆ６６、通話回路６５、電話線コネクタ６８、電話回線Ｌ53、電話局５４を介して電話機５５の通話機能との間の通話ラインが形成され、この通話ラインを介して音声信号を送受信させることにより通話が成立する。
【００１０】
【発明が解決しようとする課題】
しかしながら、従来例のインターホン装置をなす玄関子機５１からの呼出時において、玄関子機５１およびインターホン親機５２にて通話を行なうための動作電源の給電、すなわち、玄関子機５１からの呼び出しを継続するための動作電源の給電は、インターホン親機５２の計時機能が能動とされている所定の時間内に限定され、この計時機能がタイムアップして非能動となると、玄関子機５１にて通話を行なうための動作電源の給電が遮断されることにより、玄関子機５１と電話転送先の電話機５５との間で成立される通話の通話時間もインターホン親機５２の計時機能に連動する難点があった。
【００１１】
本発明は、上述の難点を解消するためになされたもので、インターホン親機の計時機能による計時を解除、または延長させ、この計時機能に連動してインターホン親機から玄関子機への給電時間を制御することにより、玄関子機と電話転送先の電話機との間で成立される通話の通話時間を無制限とする、または延長させたインターホン装置を提供することを目的としている。
【００１２】
【課題を解決するための手段】
上述の目的を達成するため、本発明によるインターホン装置は、玄関子機からの呼び出しに応答して通話を行なうためのインターホン親機を備え、インターホン親機は、玄関子機からの呼出時に、インターホン親機と玄関子機に電源回路からの電源が供給されて呼び出しを継続するための呼出タイマを有し、玄関子機とインターホン親機との間にインターホン電話転送装置を介在させたインターホン装置であって、インターホン電話転送装置は、電話局からの電話回線を接続するための電話線コネクタと、玄関子機からの呼び出しを予め設定しておいた電話番号にダイアルし、ダイアルして電話転送された電話機にて玄関子機と通話を行なうためのダイアルアップ回路と、電話転送をインターホン親機に通知してインターホン親機の呼出タイマを解除、または延長するための転送信号出力回路とを有することを特徴としている。
【００１３】
このようなインターホン装置によれば、インターホン電話転送装置の転送設定ボタンの押下操作に起因して、ダイアルアップ回路に予め設定しておいた電話番号に該当する電話機にて玄関子機からの呼び出しを報知させるように電話転送が設定されている場合、玄関子機からの呼び出しと電話機への電話転送とをそれぞれ確認したインターホン親機では、呼出タイマが解除、または延長され、これに連動して電源回路から玄関子機への給電時間も制御されることにより、玄関子機と電話転送先の電話機との間で成立される通話の通話時間を無制限とする、または延長させることができる。
【００１４】
【発明の実施の形態】
以下、本発明によるインターホン装置を適用した好ましい形態の実施例について、図面を参照して説明する。
【００１５】
図１は、本発明の一実施例によるインターホン装置の構成を示すブロック図であり、通常、住戸外、例えば、玄関先に設置される玄関子機１と、通常、住戸内に設置されており、玄関子機１からの呼び出しに応答して通話を行なうとともに、商用電源（ＡＣ１００Ｖ）より生成した直流電源を自端末の動作電源および当該玄関子機の動作電源として給電するためのインターホン親機２と、伝送線路Ｌ1を介して接続された玄関子機１と伝送線路Ｌ2を介して接続されたインターホン親機２との間に介在されるインターホン電話転送装置３と、電話回線Ｌ3を介してインターホン電話転送装置３に接続された電話局４と、電話局４との間で有線通信、または無線通信を行なうために用いられ、玄関子機１からの呼び出しに応答して通話を行なう、または他の電話機（図示せず）との間で呼び出し、通話を行なうための電話機５とで構成されている。
【００１６】
同図に示す玄関子機１は、当該玄関子機を構成する各回路（各部）を制御するためのＣＰＵ１０と、呼び出しのために玄関先の来訪者が押下操作する呼出ボタン１１と、来訪者が通話を成立させるために使用するマイク１２およびスピーカ１３と、ＣＰＵ１０により制御され、マイク１２を介して入力された送話音をなす音声信号、スピーカ１３にて鳴動される受話音をなす音声信号を信号処理、例えば、Ａ／Ｄ、Ｄ／Ａ変換するための通話回路１４と、インターホン親機２からの直流電源を、当該玄関子機にて通話を行なうための動作電源として各回路（各部）に給電するための電源回路１５と、ＣＰＵ１０、通話回路１４、電源回路１５と伝送線路Ｌ1との間の各種信号伝送ライン、電源供給ラインをそれぞれ形成するためのインターフェース（以下、子機Ｉ／Ｆと称す）１６とを有する。
【００１７】
同図に示すインターホン親機２は、当該インターホン親機を構成する各回路（各部）を制御するためのＣＰＵ２０と、玄関先の来訪者により呼出ボタン１１が押下操作された玄関子機１からの呼び出しを、呼出音の鳴動に基づき報知するためのスピーカ２１と、ＣＰＵ２０により制御され、スピーカ２１にて呼出音を鳴動させるための呼出音信号を出力する呼出音生成回路２２と、スピーカ２１からの呼出音を確認した住戸内の居住者が通話を成立させるために使用する送受話器２３と、ＣＰＵ２０により制御され、送受話器２３をなすマイク（図示せず）を介して入力された送話音をなす音声信号、レシーバ（図示せず）にて鳴動される受話音をなす音声信号を信号処理、例えば、Ａ／Ｄ、Ｄ／Ａ変換するための通話回路２４と、ＣＰＵ２０により制御され、商用電源（ＡＣ１００Ｖ）より生成した直流電源を、当該インターホン親機にて呼出報知および通話を行なうための動作電源として各回路（各部）に給電するとともに、玄関子機１にて通話を行なうための動作電源として当該玄関子機の電源回路１５に給電する電源回路２５と、ＣＰＵ２０により制御され、玄関子機１からの呼出時における当該呼び出しを継続、すなわち、電源回路２５からの給電を継続させるために予め設定されている所定の時間（以下、通常呼出時間と称す）を計時するための呼出タイマ２６と、ＣＰＵ２０、通話回路２４、電源回路２５と伝送線路Ｌ2との間の各種信号伝送ライン、電源供給ラインをそれぞれ形成するためのインターフェース（以下、親機Ｉ／Ｆと称す）２７とを有する。
【００１８】
同図に示すインターホン電話転送装置３は、当該インターホン電話転送装置を構成する各回路（各部）を制御するためのＣＰＵ３０と、玄関先の来訪者により呼出ボタン１１が押下操作された玄関子機１からの呼び出しを検出するための呼出検出回路３１と、玄関子機１からの呼び出しに応答して通話を行なう当該端末を、後述するダイアルアップ回路３４に予め設定しておいた電話番号に該当する電話転送先の電話機５とするために住戸内の居住者が押下操作する転送設定ボタン３２と、転送設定ボタン３２の押下操作に連動して点灯、または点滅される転送設定表示灯３３と、ＣＰＵ３０により制御され、玄関子機１からの呼び出しを予め設定しておいた電話番号にダイアルするためのダイアルアップ回路３４と、ＣＰＵ３０により制御され、玄関子機１からの呼び出しに応答して通話を行なう当該端末が、ダイアルアップ回路３４に予め設定しておいた電話番号に該当する電話機５であり電話転送されていることをインターホン親機２のＣＰＵ２０に通知し、これを検出したＣＰＵ２０の制御により呼出タイマ２６の計時を解除、または延長させるための転送信号を出力する転送信号出力回路３５と、ＣＰＵ３０により制御され、玄関子機１からの呼び出しに応答したインターホン親機２と当該玄関子機、または電話機５と当該玄関子機との間で通話を成立させるための音声信号の信号伝送ラインを形成する通話回路３６と、ＣＰＵ３０、呼出検出回路３１、通話回路３６と伝送線路Ｌ1との間の各種信号伝送ライン、電源供給ラインをそれぞれ形成するためのインターフェース（以下、子機側Ｉ／Ｆと称す）３７と、ＣＰＵ３０、呼出検出回路３１、転送信号出力回路３５、通話回路３６と伝送線路Ｌ2との間の各種信号伝送ライン、電源供給ラインをそれぞれ形成するためのインターフェース（以下、親機側Ｉ／Ｆと称す）３８と、ＣＰＵ３０、ダイアルアップ回路３４、通話回路３６と電話回線Ｌ3との間の各種信号伝送ラインを形成するための電話線コネクタ３９とを有する。
【００１９】
なお、電話局４、電話機５の具体的な構成の図示および説明はそれぞれ省略する。
【００２０】
このように構成された本発明の一実施例によるインターホン装置において、以下、その動作を具体的に説明する。
【００２１】
第１の動作として、図１のブロック図に示すインターホン親機２が設置された住戸内に居住者が在室中であり、インターホン電話転送装置３の転送設定ボタン３２が居住者により予め押下操作されていない場合、転送設定表示灯３３は消灯されており、ＣＰＵ３０にて設定される玄関子機１からの呼び出しの報知を行なう当該端末は、通常設定とされるインターホン親機２のみである。
【００２２】
ここで、玄関先の来訪者により玄関子機１の呼出ボタン１１が押下操作されると、来訪者による呼出操作を検出したＣＰＵ１０から呼出信号Ｓ1が出力され、この呼出信号Ｓ1は、子機Ｉ／Ｆ１６、伝送線路Ｌ1、インターホン電話転送装置３の子機側Ｉ／Ｆ３７を介して呼出検出回路３１に伝送される。また、インターホン電話転送装置３の呼出検出回路３１は、玄関子機１からの呼出信号Ｓ1に基づき玄関先の来訪者による呼出操作を検出した呼出検出信号Ｓ2を、ＣＰＵ３０と、親機側Ｉ／Ｆ３８、伝送線路Ｌ2、インターホン親機２の親機Ｉ／Ｆ２７を介してＣＰＵ２０とにそれぞれ出力する。
【００２３】
なお、インターホン電話転送装置３において、呼出検出回路３１からの呼出検出信号Ｓ2を検出したＣＰＵ３０では、転送設定ボタン３２が予め押下操作されていないと判断することにより、ダイアルアップ回路３４、転送信号出力回路３５はそれぞれ非能動のまま保持される。
【００２４】
インターホン親機２において、インターホン電話転送装置３からの呼出検出信号Ｓ2を検出したＣＰＵ２０は、電源回路２５、呼出タイマ２６をそれぞれ制御し、商用電源（ＡＣ１００Ｖ）より生成した電源回路２５からの直流電源を、呼出タイマ２６に予め設定されている通常呼出時間内、当該インターホン親機にて呼出報知および通話を行なうための動作電源として各回路（各部）に給電させるとともに、この直流電源を、親機Ｉ／Ｆ２７、伝送線路Ｌ2、インターホン電話転送装置３の親機側Ｉ／Ｆ３８、ＣＰＵ３０、子機側Ｉ／Ｆ３７、伝送線路Ｌ1、玄関子機１の子機Ｉ／Ｆ１６、電源回路１５を介して当該玄関子機にて通話を行なうための動作電源として上述の通常呼出時間内、各回路（各部）に給電させる。これにより、玄関子機１からの呼び出しは、インターホン親機２の呼出タイマ２６にて計時中の通常呼出時間内、継続されることになる。また、インターホン親機２のＣＰＵ２０は、電源回路２５および呼出タイマ２６の制御と併せて呼出音生成回路２２を制御し、呼出音生成回路２２からの呼出音信号Ｓ3に基づきスピーカ２１にて呼出音を鳴動させ、玄関先の来訪者により呼出ボタン１１が押下操作された玄関子機１からの呼び出しを住戸内の居住者に報知することができる。
【００２５】
また、インターホン親機２のスピーカ２１にて鳴動された呼出音に基づき玄関先の来訪者により呼出ボタン１１が押下操作された玄関子機１からの呼び出しを確認した住戸内の居住者が、送受話器２３を取り上げて応答すると、居住者による応答操作を検出したＣＰＵ２０により通話回路２４が制御され送受話器２３と親機Ｉ／Ｆ２７との間の信号伝送ラインが形成されるとともに、ＣＰＵ２０から呼出応答信号Ｓ4が出力され、この呼出応答信号Ｓ4は、親機Ｉ／Ｆ２７、伝送線路Ｌ2、インターホン電話転送装置３の親機側Ｉ／Ｆ３８を介してＣＰＵ３０に伝送される。
【００２６】
インターホン電話転送装置３において、インターホン親機２からの呼出応答信号Ｓ4に基づき住戸内の居住者による応答操作を検出したＣＰＵ３０は、子機側Ｉ／Ｆ３７と親機側Ｉ／Ｆ３８との間の信号伝送ラインが形成されるように通話回路３６を制御するとともに、この呼出応答信号Ｓ4を、子機側Ｉ／Ｆ３７、伝送線路Ｌ1、玄関子機１の子機Ｉ／Ｆ１６を介してＣＰＵ１０に出力する。また、玄関子機１のＣＰＵ１０は、インターホン親機２からの呼出応答信号Ｓ4に基づき住戸内の居住者による応答操作を検出し、マイク１２およびスピーカ１３と子機Ｉ／Ｆ１６との間の信号伝送ラインが形成されるように通話回路１４を制御することにより、玄関先の来訪者が使用するマイク１２およびスピーカ１３と、通話回路１４、子機Ｉ／Ｆ１６、伝送線路Ｌ1、インターホン電話転送装置３の子機側Ｉ／Ｆ３７、通話回路３６、親機側Ｉ／Ｆ３８、伝送線路Ｌ2、伝送線路Ｌ2、インターホン親機２の親機Ｉ／Ｆ２７、通話回路２４を介して住戸内の居住者が使用する送受話器２３をなすマイクおよびレシーバ（図示せず）との間の通話ラインが形成され、この通話ラインを介して音声信号を送受信させることにより通話が成立する。
【００２７】
さらに、住戸内の居住者が、玄関先の来訪者との通話を終了させるためにインターホン親機２の送受話器２３を元の位置に戻す、或いは、呼出タイマ２６にて計時中の通常呼出時間がタイムアップとなった場合には、これらを検出したＣＰＵ２０の制御により電源回路２５からの直流電源の給電は遮断され、ゆえに、インターホン親機２にて通話を行なうための動作電源の給電および玄関子機１ににて通話を行なうための動作電源の給電も遮断される。これにより、当該インターホン装置は、玄関子機１とインターホン親機２との間で成立されている通話状態から待受状態に復旧する。
【００２８】
次に、第２の動作として、図１のブロック図に示すインターホン親機２が設置された住戸内に居住者が不在であり、住戸内を不在とする前においてインターホン電話転送装置３の転送設定ボタン３２が居住者により予め押下操作されている場合、転送設定ボタン３２の押下操作に連動して転送設定表示灯３３は点灯、または点滅されており、ＣＰＵ３０にて設定される玄関子機１からの呼び出しの報知を行なう当該端末は、通常設定とされるインターホン親機２のみの設定から電話転送設定とされるインターホン親機２のみならずダイアルアップ回路３４に予め設定しておいた電話番号に該当する電話機５にて行なう設定に移行されている。
【００２９】
ここで、玄関先の来訪者により玄関子機１の呼出ボタン１１が押下操作されると、来訪者による呼出操作を検出したＣＰＵ１０から呼出信号Ｓ1が出力され、この呼出信号Ｓ1は、上述の第１の動作と同様な経路を介してインターホン電話転送装置３の呼出検出回路３１に伝送される。また、インターホン電話転送装置３の呼出検出回路３１は、玄関子機１からの呼出信号Ｓ1に基づき玄関先の来訪者による呼出操作を検出した呼出検出信号Ｓ2を、ＣＰＵ３０と、上述の第１の動作と同様な経路を介してインターホン親機２のＣＰＵ２０とにそれぞれ出力する。
【００３０】
インターホン電話転送装置３において、呼出検出回路３１からの呼出検出信号Ｓ2を検出したＣＰＵ３０は、ダイアルアップ回路３４を制御し、当該ダイアルアップ回路に予め設定しておいた電話番号にダイアルさせるとともに、転送信号出力回路３５を制御し、玄関子機１からの呼び出しに応答して通話を行なう当該端末が、ダイアルアップ回路３４に予め設定していた電話番号に該当する電話機５であり電話転送されていることをインターホン親機２のＣＰＵ２０に通知するための転送信号Ｓ5を出力させ、この転送信号Ｓ5は、親機側Ｉ／Ｆ３８、伝送線路Ｌ2、インターホン親機２の親機Ｉ／Ｆ２７を介してＣＰＵ２０に伝送される。また、インターホン電話転送装置３のＣＰＵ３０により制御されたダイアルアップ回路３４は、予め設定しておいた電話番号を付加させた呼出転送信号Ｓ6を、電話線コネクタ３９、電話回線Ｌ3を介して電話局４に出力し、電話局４では、インターホン電話転送装置３からの呼出転送信号Ｓ6に付加されている電話番号に該当した電話機５の呼出報知機能を能動、例えば、図示しないスピーカにて呼出音を鳴動させることにより、玄関先の来訪者により呼出ボタン１１が押下操作された玄関子機１からの呼び出しを電話機５の使用者に報知することができる。
【００３１】
インターホン親機２において、インターホン電話転送装置３からの呼出検出信号Ｓ2、転送信号Ｓ5をそれぞれ検出したＣＰＵ２０は、電源回路２５、呼出タイマ２６をそれぞれ制御し、商用電源（ＡＣ１００Ｖ）より生成した電源回路２５からの直流電源を、呼出タイマ２６に予め設定されている通常呼出時間を無制限、すなわち、計時機能を解除して玄関先の来訪者との間で成立されている通話を電話機５の使用者が終了させるまでの時間内（以下、計時解除時間内と称す）、または当該呼出タイマに予め設定されている通常呼出時間を延長させた延長呼出時間内、当該インターホン親機にて呼出報知および通話を行なうための動作電源として各回路（各部）に給電させるとともに、この直流電源を、親機Ｉ／Ｆ２７、伝送線路Ｌ2、インターホン電話転送装置３の親機側Ｉ／Ｆ３８、ＣＰＵ３０、子機側Ｉ／Ｆ３７、伝送線路Ｌ1、玄関子機１の子機Ｉ／Ｆ１６、電源回路１５を介して当該玄関子機にて通話を行なうための動作電源として上述の計時解除時間内、または延長呼出時間内、各回路（各部）に給電させる。これにより、玄関子機１からの呼び出しは、電話機５の使用者による通話終了の操作が行なわれるまで、またはインターホン親機２の呼出タイマ２６にて計時中の延長呼出時間内、継続されることになる。また、インターホン親機２のＣＰＵ２０は、電源回路２５および呼出タイマ２６の制御と併せて呼出音生成回路２２を制御し、呼出音生成回路２２からの呼出音信号Ｓ3に基づきスピーカ２１にて呼出音を鳴動させ、玄関先の来訪者により呼出ボタン１１が押下操作された玄関子機１からの呼び出しを住戸内に報知することができる。
【００３２】
なお、第２の動作では、居住者が住戸内に不在であり、玄関子機１とインターホン親機２との間で通話が成立されることはないものとする。
【００３３】
また、能動とされた呼出報知機能、例えば、図示しないスピーカにて鳴動された呼出音に基づき玄関先の来訪者により呼出ボタン１１が押下操作された玄関子機１からの呼び出しを確認した電話機５の使用者が、適宜、応答操作を行なう、例えば、図示しない応答ボタンを押下操作する、或いは、図示しない送受話器を取り上げると、電話機５から呼出応答信号Ｓ7が出力され、この呼出応答信号Ｓ7は、電話局４、電話回線Ｌ3、インターホン電話転送装置３の電話線コネクタ３９を介してＣＰＵ３０に伝送される。
【００３４】
インターホン電話転送装置３において、電話機５からの呼出応答信号Ｓ7に基づき当該電話機の使用者による応答操作を検出したＣＰＵ３０は、子機側Ｉ／Ｆ３７と電話線コネクタ３９との間の信号伝送ラインが形成されるように通話回路３６を制御するとともに、この呼出応答信号Ｓ7を、子機側Ｉ／Ｆ３７、伝送線路Ｌ1、玄関子機１の子機Ｉ／Ｆ１６を介してＣＰＵ１０に出力する。また、玄関子機１のＣＰＵ１０は、電話機５からの呼出応答信号Ｓ7に基づき当該電話機の使用者による応答操作を検出し、マイク１２およびスピーカ１３と子機Ｉ／Ｆ１６との間の信号伝送ラインが形成されるように通話回路１４を制御することにより、玄関先の居住者が使用するマイク１２およびスピーカ１３と、通話回路１４、子機Ｉ／Ｆ１６、伝送線路Ｌ1、インターホン電話転送装置３の子機側Ｉ／Ｆ３７、通話回路３６、電話局コネクタ３９、電話回線Ｌ3、電話局４を介して電話機５の通話機能、例えば、図示しないマイクおよびスピーカ、或いは、図示しない送受話器との間の通話ラインが形成され、この通話ラインを介して音声信号を送受信させることにより通話が成立する。
【００３５】
さらに、電話機５の使用者が、玄関先の来訪者との通話を終了させるために通話機能を非能動とした場合、例えば、図示しない通話終了ボタンを押下操作する、或いは、図示しない送受話器を元の位置に戻した場合、または、インターホン親機２の呼出タイマ２６にて計時中の延長呼出時間がタイムアップとなった場合には、これらを検出したＣＰＵ２０の制御により電源回路２５からの直流電源の給電は遮断され、ゆえに、当該インターホン親機にて通話を行なうための動作電源の給電および玄関子機１ににて通話を行なうための動作電源の給電も遮断される。これにより、当該インターホン装置は、玄関子機１と電話機５との間で成立されている通話状態から待受状態に復旧する。
【００３６】
【発明の効果】
以上の説明から明らかなように、本発明のインターホン装置によれば、玄関子機とインターホン親機との間に介在されるインターホン電話転送装置の転送設定ボタンの押下操作に起因して、ダイアルアップ回路に予め設定しておいた電話番号に該当する電話機にて玄関先の来訪者により呼出ボタンが押下操作された玄関子機からの呼び出しを報知させるように電話転送が設定されている場合、玄関子機からの呼び出しと電話機への電話転送とをそれぞれ確認したインターホン親機では、呼出タイマが解除、または延長され、これに連動して電源回路から玄関子機への給電時間も制御されることにより、玄関子機と電話転送先の電話機との間で成立される通話の通話時間を無制限とする、または延長させることができる。
【図面の簡単な説明】
【図１】本発明の一実施例によるインターホン装置の構成を示すブロック図である。
【図２】従来例のインターホン装置の構成を示すブロック図である。
【符号の説明】
１・・・・・玄関子機
２・・・・・インターホン親機
３・・・・・インターホン電話転送装置
４・・・・・電話局
５・・・・・電話機
２５・・・・・電源回路
２６・・・・・呼出タイマ
３４・・・・・ダイアルアップ回路
３５・・・・・転送信号出力回路
３９・・・・・電話線コネクタ
【図１】
0003825676.tif 000002
【図２】
0003825676.tif 000003